(57)【要約】【課題】カート着脱式移動型ゴルフバッグを提供する。【解決手段】本発明のカート着脱式移動型ゴルフバッグは、バッグ本体の内部空間部にゴルフクラブを収納し、下部両側の移動ホイールによって移動し、上部にヘッドカバーを着脱可能に結合するゴルフバッグと；上下長方形の支持体を形成し、支持体の上部にハンドル、支持体の下部にはリンク部材で連結される左右の移動ホイールを形成するカートと；を含んでなり、ゴルフバッグの背面のドッキング溝にカートの前面のドッキングブロックを着脱可能に結合し、ドッキングブロックは、両側に係止突起を有するＴ型構造で形成し、ドッキング溝は、ドッキングブロックが挿入される挿入溝部と、挿入溝部の下側に係止突起が係止される係止段を有する係止溝部とを連結形成して、ドッキングブロックをゴルフバッグの挿入溝部に挿入した後、下側の係止溝部へスライド移動させてワンタッチでドッキング結合するように構成する。【選択図】図２
2020121099.tif 000002
【特許請求の範囲】
【請求項１】
バッグ本体の内部空間部にゴルフクラブを収納し、下部両側の移動ホイールによって移動し、上部にヘッドカバーを着脱可能に結合するゴルフバッグと、
上下長方形の支持体を形成し、前記支持体の上部にハンドル、前記支持体の下部にはリンク部材で連結される左右の移動ホイールを形成するカートと、を含んでなり、
前記ゴルフバッグの背面のドッキング溝にカートの前面のドッキングブロックを着脱可能に結合し、
前記ドッキングブロックは、両側に係止突起を有するＴ型構造で形成し、前記ドッキング溝は、前記ドッキングブロックが挿入される挿入溝部と、前記挿入溝部の下側に係止突起が係止される係止段を有する係止溝部とを連結形成して、前記ドッキングブロックをゴルフバッグの挿入溝部に挿入した後、下側の係止溝部へスライド移動させてワンタッチでドッキング結合するように構成することを特徴とする、カート着脱式移動型ゴルフバッグ。
【請求項２】
前記ゴルフバッグのバッグ本体と前記ヘッドカバーは、ポリカーボネート及びＡＢＳ素材のうちのいずれか一つで形成され、
前記ヘッドカバーは、下部の外側に突設される結合突起を前記バッグ本体の上部外側に設けられた結合溝に挿入し回転させて結合し、前記結合突起は、Ｔ型断面構造で形成し、前記結合溝は、結合突起が挿入される挿入部と、結合突起の離脱が防止される係止部とを連結形成して、前記結合溝に前記結合突起を挿入及び回転させることにより離脱防止されるように構成することを特徴とする、請求項１に記載のカート着脱式移動型ゴルフバッグ。
【請求項３】
前記ヘッドカバーは下部一側にフックを形成し、
前記バッグ本体の前方にはフックが挿入されるフック凹部を対応形成して、前記ヘッドカバーをバッグ本体から取り外した後、上下反転状態で前記フックをバッグ本体のフック凹部に掛けて保管するように構成することを特徴とする、請求項１または２に記載のカート着脱式移動型ゴルフバッグ。
【請求項４】
前記バッグ本体の上部には、前記ヘッドカバーの代わりに、別途の布カバーを着脱可能に結合して使用することができるように構成され、前記布カバーは、中央に防水ファスナーを形成して、前記布カバーを取り外すことなく防水ファスナーの開放によってゴルフクラブを取り出して使用するように構成することを特徴とする、請求項１または２に記載のカート着脱式移動型ゴルフバッグ。
【請求項５】
長さ方向に沿って円形の凹溝を複数有するホイールシャフトをバッグ本体の両側から内部に出没可能に軸挿入し、前記バッグ本体の下部でホイールシャフトの一側に直交方向に押圧ピンを突出するように挿設することにより、前記押圧ピンがホイールシャフトの凹溝の一側に挿入されながら前記バッグ本体の移動ホイールを支持するようにし、前記押圧ピンにはホイールシャフトの直径に対応する円形の凹溝部を設け、押圧ピンを弾発押圧作動によって凹溝部がホイールシャフトに係合されるように位置させると、ホイールシャフトを凹溝の間隔で引き出しながら前記バッグ本体の移動ホイール間の幅を調節するように構成することを特徴とする、請求項１または２に記載のカート着脱式移動型ゴルフバッグ。
【請求項６】
前記バッグ本体の両側方には、側壁の内部に金属板を設置し、磁石を有するサイドポケットを別途設けることにより、バッグ本体の側壁の外部で金属板の位置へ磁石の磁力によって着脱しながら各種物品を保管するように構成することを特徴とする、請求項１または２に記載のカート着脱式移動型ゴルフバッグ。
【請求項７】
前記カートの移動ホイールには、移動ホイールの移動を制限するブレーキ手段を備え、
前記ブレーキ手段は、押圧作動によってヒンジ軸を中心として上下回動する作動レバーと、前記作動レバーの下端に後端が軸連結されて作動レバーの押圧作動によって前進移動する作動ピンと、前記作動ピンが前進移動によって挿入されて移動ホイールの転がりを制限するように移動ホイールの側面に設けられる回転制限溝とから構成されることを特徴とする、請求項１または２に記載のカート着脱式移動型ゴルフバッグ。
【発明の詳細な説明】
【技術分野】
【０００１】
本発明は、カート着脱式移動型ゴルフバッグに係り、より詳細には、ハードシェル構造のゴルフバッグをカートに対してワンタッチドッキング方式によって簡単かつ堅固に着脱可能に結合して簡便に移動させるために使用するが、前記ゴルフクラブ以外に各種物品を収納することができる様々な収納空間を提供する、使用効率性に優れるカート着脱式移動型ゴルフバッグに関する。
【背景技術】
【０００２】
最近、生活水準の向上と健康への関心が増大しながら人々が各種運動を楽しんでいるが、特にゴルフの場合は、年齢に関係なく、多くの人々が楽しんでいる運動の一つである。
【０００３】
このようなゴルフは、多数のゴルフ用品を携帯して移動するが、例えばゴルフクラブ、ゴルフボール、ゴルフティー、ゴルフシューズ、ゴルフ手袋などのゴルフ用品をゴルフバッグに入れて移動する。
【０００４】
すなわち、前記ゴルフバッグに各種ゴルフ用品を収納して移動運搬するのはもとより、フィールドで移動しながらゲームを行うのである。
【０００５】
このような従来のゴルフバッグは、重量が重くて移動することが非常に不便なので、移動ホイール、ハンドルなどを形成して転がり運動することができるようにし、特にフィールドゲームの際には、ゴルフバッグを別のカートに乗せて運搬するように使用した。
【０００６】
このように前記ゴルフバッグをカートに乗せて運搬する場合、ゴルフバッグをカートに装着させた後、別の結び手段によってゴルフバッグを結んでゴルフバッグが脱落しないように固定した状態で移動するようにした。
【０００７】
しかし、上述した従来のカートは、ゴルフバッグの装着または分離作業が非常に不便であり、ゴルフバッグを堅固に固定していないためゴルフバッグが移動中にカートから脱落するおそれがあるなどの様々な問題点があった。
【０００８】
さらに、上述した従来のゴルフバッグは、バッグ本体の内部にゴルフクラブを収納するが、ゴルフクラブ以外に各種ゴルフ用品を収納するための十分な収納空間を持っていないため、使用が不便であるという問題点があった。
【０００９】
また、上述した従来のゴルフバッグは、主に革や布材で形成されるため、航空手荷物としての持ち運びの際には別途のカバーボックスによって包装した後で運搬しなければならない不便さがあり、使用耐久性に劣るうえ、ゴルフ用品を安全に保管及び運搬するのに脆弱であるという問題点があった。
【先行技術文献】
【特許文献】
【００１０】
【特許文献１】韓国公開特許第１０−２０１３−００３２５５４号公報
【特許文献２】韓国登録実用新案第２０−１８１９００号公報
【発明の概要】
【発明が解決しようとする課題】
【００１１】
本発明は、上述した従来技術の諸般問題点を解決するためになされたもので、その目的は、ハードシェル構造のゴルフバッグをカートに対してワンタッチドッキング方式によって簡単かつ堅固に着脱可能に結合して簡便に移動させるために使用するが、ゴルフクラブ以外に各種物品を収納することができる様々な収納空間を提供する、使用効率性に優れるカート着脱式移動型ゴルフバッグを提供することにある。
【００１２】
特に、前記ゴルフバッグをハードシェル構造で形成して別途の包装カバーなしでも航空手荷物などとしての移動の際に安全であるうえ、耐久性にも優れるカート着脱式移動型ゴルフバッグを提供することを目的とする。
【００１３】
また、本発明は、バッグ本体とヘッドカバーを着脱可能に構成して、前記バッグ本体の内部及び前方に設けられる収納空間だけでなく、前記バッグ本体の上部のヘッドカバーを取り外した後にバッグ本体の前方に掛けて収納空間として活用し、或いは別のサイドポケットをバッグ本体の側方に着脱して収納空間として活用するようにすることで、多様な収納空間を提供するカート着脱式移動型ゴルフバッグを提供することを目的とする。
【００１４】
また、本発明は、ヘッドカバーの代わりに使用できる別の布カバーをさらに提供し、カバーを取り外すことなく布カバーをファスナーで開放して内部のゴルフクラブを簡単に取り出して使用するので、使い勝手に優れるカート着脱式移動型ゴルフバッグを提供することにある。
【００１５】
また、本発明は、前記ゴルフバッグの移動ホイール間の幅を調節することにより、ゴルフバッグをさらに安定的に移動させることができるのはもとより、保管の際に体積を最小化することができ、ブレーキ手段によって停止状態で安定的に立てておくことができるようにしたカート着脱式移動型ゴルフバッグを提供することにある。
【課題を解決するための手段】
【００１６】
上記目的を達成するために、本発明は、バッグ本体の内部空間部にゴルフクラブを収納し、下部両側の移動ホイールによって移動し、上部にヘッドカバーを着脱可能に結合するゴルフバッグと；上下長方形の支持体を形成し、前記支持体の上部にハンドル、前記支持体の下部にはリンク部材で連結される左右の移動ホイールを形成するカートと；を含んでなり、前記ゴルフバッグの背面のドッキング溝にカートの前面のドッキングブロックを着脱可能に結合し、前記ドッキングブロックは、両側に係止突起を有するＴ型構造で形成し、前記ドッキング溝は、ドッキングブロックが挿入される挿入溝部と、前記挿入溝部の下側に係止突起が係止される係止段を有する係止溝部とを連結形成し、前記ドッキングブロックをゴルフバッグの挿入溝部に挿入した後、下側の係止溝部へスライド移動させてワンタッチでドッキング結合するように構成することを特徴とする。
【００１７】
本発明によれば、前記ゴルフバッグのバッグ本体とヘッドカバーは、ポリカーボネート及びＡＢＳ素材のうちのいずれか一つで形成し、前記ヘッドカバーは、下部の外側に突設される結合突起をバッグ本体の上部外側に設けられた結合溝に挿入し回転させて結合するが、前記結合突起は、Ｔ型断面構造で形成し、前記結合溝は、結合突起が挿入される挿入部と、結合突起の離脱が防止される係止部とを連結形成して、前記結合溝に前記結合突起を挿入及び回転させることにより離脱防止されるように構成することを特徴とする。
【００１８】
本発明によれば、前記ヘッドカバーは下部一側にフックを形成し、前記バッグ本体の前方にはフックが挿入されるフック凹部を対応形成して、前記ヘッドカバーをバッグ本体から分離した後、上下反転状態でバッグ本体のフック凹部に掛けて保管するように構成することを特徴とする。
【００１９】
本発明によれば、前記バッグ本体の上部には、ヘッドカバーの代わりに、別途の布カバーを着脱可能に結合して使用することができるように構成し、前記布カバーの中央には防水ファスナーを設けることにより、布カバーを取り外すことなく防水ファスナーの開放によってゴルフクラブを取りだして使用するように構成することを特徴とする。
【００２０】
本発明によれば、長さ方向に沿って円形の凹溝を複数有するホイールシャフトをバッグ本体の両側から内部に出没可能に軸挿入し、前記バッグ本体の下部でホイールシャフトの一側に直交方向に押圧ピンを突出するように挿設することにより、前記押圧ピンがホイールシャフトの凹溝の一側に挿入されながら前記バッグ本体の移動ホイールを支持するようにするが、前記押圧ピンにはホイールシャフトの直径に対応する円形の凹溝部を設けることにより、押圧ピンを弾発押圧作動によって凹溝部がホイールシャフトに係合されるように位置させると、ホイールシャフトを凹溝の間隔で引き出しながら前記バッグ本体の移動ホイール間の幅を調節するように構成することを特徴とする。
【００２１】
本発明によれば、前記バッグ本体の両側方には、側壁の内部に金属板を設置し、磁石を有するサイドポケットを別途設けることにより、バッグ本体の側壁の外部で金属板の位置へ磁石の磁力によって着脱しながら各種物品を保管するように構成することを特徴とする。
【００２２】
本発明によれば、前記カートの移動ホイールには、移動ホイールの移動を制限するブレーキ手段を備え、前記ブレーキ手段は、押圧作動によってヒンジ軸を中心として上下回動する作動レバーと、前記作動レバーの下端に後端が軸連結されて作動レバーの押圧作動によって前進移動する作動ピンと、前記作動ピンが前進移動によって挿入されて移動ホイールの転がりを制限するように移動ホイールの側面に設けられる回転制限溝とから構成されることを特徴とする。
【発明の効果】
【００２３】
上述した本発明は、内部にゴルフクラブを収納するバッグ本体の上部にヘッドカバーを着脱可能に結合するゴルフバッグをカートに結合するが、カートのドッキングブロックをゴルフバッグの背面のドッキング溝にワンタッチで挿入することによりドッキング結合するので、従来のような別途の結び過程を行うことなく、簡便かつ堅固に結合して使用する効果を有する。
【００２４】
特に、前記ゴルフバッグをハードシェル構造で形成することにより、別途の包装カバーなしても航空手荷物などとしての移動の際に安全であり、耐久性にも優れる。
【００２５】
また、前記ゴルフバッグのヘッドカバーの代わりに別途の布カバーを結合して、カバーを取り外すことなく前記布カバーをファスナーで開放して内部のゴルフクラブを簡単に引き出して使用することができる。
【００２６】
また、前記ゴルフバッグの内部及び前方に設けられる収納空間以外に、バッグ本体からヘッドカバーを取り外した後、バッグ本体の前方に掛けて別途の物品を収納するように活用するか、或いはバッグ本体の両側に対して別途のサイドポケットを磁力によって着脱しながら収納空間として活用するようにするので、多数の収納空間によって各種物品を効果的に収納保管することができる。
【００２７】
その他、前記ゴルフバッグの移動ホイール間の幅を調節するので、移動の際に、より安定的に移動可能であるのはもとより、保管の際に体積を最小化することができ、ブレーキ手段によって停止状態で安定的に立てておくことができる。
【図面の簡単な説明】
【００２８】
【図１】本発明の正面斜視図である。
【図２】本発明のゴルフバッグとカートの分離状態を示す斜視図である。
【図３】本発明のゴルフバッグの背面を示す斜視図である。
【図４】本発明のゴルフバッグのヘッドカバー分離状態を示す斜視図である。
【図５】本発明のゴルフバッグのヘッドカバーを取り外してバッグ本体の正面に掛けて保管する状態を示す斜視図である。
【図６】本発明のゴルフバッグの移動ホイールを示す要部背面図である。
【図７】図６の移動ホイールを取り外した状態を示す背面図である。
【図８】図６の移動ホイールの出没調節作動を示す要部抜粋図である。
【図９】本発明のゴルフバッグの他の実施形態を示す正面図である。
【図１０】本発明のゴルフバッグの別の実施形態を示す正面図である。
【図１１】本発明のカートのブレーキ手段を示す要部斜視図である。
【図１２】図１１のブレーキ手段の作動状態を示す要部正面図である。
【発明を実施するための形態】
【００２９】
以下、本発明の好適な実施形態を添付図面を参照して具体的に説明する。
【００３０】
本発明のカート着脱式移動型ゴルフバッグは、図１乃至図１２に示すように、ハードシェル構造のゴルフバッグ１００と、前記ゴルフバッグをワンタッチでドッキング結合するカート２００とで含んでなる。
【００３１】
前記ゴルフバッグ１００は、ゴルフクラブを収納するための内部空間部１１、下部両側の移動ホイール１２、及び内外側のハンドルを備えるバッグ本体１０と、前記バッグ本体の上部に着脱可能に結合するヘッドカバー２０とから構成される。
【００３２】
前記バッグ本体１０とヘッドカバー２０は、ポリカーボネート、ＡＢＳ素材で形成するので、布などのソフト素材とは異なり、航空手荷物などとして輸送する際に、別途の包装カバーなしでもゴルフクラブなどを安全に保護することができるようにするのはもとより、十分な耐久性を持つようにする。
【００３３】
前記ヘッドカバー２０は、下部外側に結合突起２５を突設してバッグ本体１０の上部外側の結合溝１５に挿入して回転させることにより互いに離脱防止されるように結合する結合構造と、別途の円形錠３０によってロック・アンド・オープンする二重ロック構造で形成する 。
【００３４】
この時、前記ヘッドカバーの結合突起２５は、Ｔ型断面構造で形成し、前記バッグ本体の結合溝１５は、結合突起が挿入される挿入部１５ａと、結合突起の脱防が防止される係止部１５ｂとを連結形成するが、離脱防止のために、前記結合突起２５を結合溝１５に挿入及び回転させて結合する。
【００３５】
また、前記ヘッドカバー２０は、下部一側にフック２６を形成し、バッグ本体１０の前方にフックが挿入されるフック凹部１６を対応形成して、前記ヘッド本体をバッグ本体１０から取り外した後、前記フック２６をバッグ本体のフック凹部１６に掛けて保管するが、前記ヘッドカバー２０が上下反転状態で掛けて保管されるため、ヘッドカバー内の空間にクラブヘッドのカバー、その他のアクセサリーなどの各種物品を収納保管することができるように構成する。
【００３６】
また、前記ヘッドカバー２０の代わりに布カバー２０’を別途提供してバッグ本体の上部にヘッドカバーの代わりに結合して使用するが、前記布カバー２０’は、中央に防水ファスナー２１を設けることにより、布カバーを取り外すことなく防水ファスナーの開放によって内部のゴルフクラブを便利に取り出して使用するように構成する。
【００３７】
また、前記バッグ本体１０の前方中央にはボタン１７ａが設けられ、このボタン１７ａの押圧によって前方ドア１７を支持解除するとともに、前記前方ドアが弾発スプリングによって弾発的に軸回転しながら開放され、内部の収納部１７ｂに各種の物品を保管することができるように構成する。
【００３８】
また、前記バッグ本体１０の両側方には、側壁の内部に金属板１８を設置し、磁石３６を有するサイドポケット３５を別途設けて、バッグ本体の側壁の外部で金属板の位置に磁石の磁力によって着脱しながら各種物品を保管することができるように構成する。
【００３９】
この際、前記サイドポケット３５は、布素材で製造するので、使用しないときには簡単に折り畳んで持ち運ぶことができるように構成する。
【００４０】
また、前記バッグ本体１０の移動ホイール１２は、長さ方向に沿って円形の凹溝３１ａを複数有するホイールシャフト３１をバッグ本体１０の両側から内部に出没可能に挿入し、前記バッグ本体の下部でホイールシャフトの一側に直交方向に押圧ピン３３を突出するように挿設することにより、前記押圧ピンがホイールシャフト３１の凹溝３１ａの一側に挿入されながら移動ホイールを支持するようにするが、前記押圧ピン３３にはホイールシャフトの直径に対応する円形の凹溝部３３ａを形成して、押圧ピンを弾発押圧作動によって凹溝部３３ａがホイールシャフト３１に係合されるように位置させると、ホイールシャフトを凹溝３１ａの間隔で引き出しながら移動ホイール１２間の幅を調節するように構成する。
【００４１】
すなわち、前記移動ホイール間の幅の調節によってゴルフバッグ移動の際にさらに安定的に移動するようにするとともに、保管時の体積を最小化するように構成することができるのである。
【００４２】
ここで、前記押圧ピン３３は、弾発スプリング（図示せず）によって弾発支持され、押圧作動後に外力を除去すると、弾発スプリングによって元の位置に復帰作動しながら移動ホイールのホイールシャフト３１を再び支持するように構成する。
【００４３】
また、前記バッグ本体１０の背面には、上下長さ方向に設けられた埋め込み溝１９ａに支持バー１９を挿設するが、前記支持バーの上端を軸結合するように挿設して前記支持バーの下端を軸回転させることにより、バッグ本体を立てておくときに床に立てて支持するように構成する。
【００４４】
前記カート２００は、上下長方形の支持体５１を形成し、前記支持体の上部にハンドル５２、前記支持体の下部にはリンク部材５４で連結される左右の移動ホイール５５、５５、前記支持体の前面にはゴルフバッグの背面のドッキング溝６０に結合されるドッキングブロック５６をそれぞれ設けて構成する。
【００４５】
前記ドッキングブロック５６は、両側に係止突起５６ａを有するＴ型構造で形成し、前記ドッキング溝６０は、ドッキングブロックが挿入される挿入溝部６１と、前記挿入溝部の下側に係止突起５６ａの係止される係止段６２ａを有する係止溝部６２とを連結形成する。前記ドッキングブロックにゴルフバッグの挿入溝部６１を挿入した後、下側の係止溝部６２にスライド移動させてワンタッチでドッキング結合するように構成する。
【００４６】
この時、前記ドッキングブロック５６とドッキング溝６０は、上下に少なくとも２箇所に対応形成することが好ましい。
【００４７】
また、前記カートの移動ホイール５５には、移動ホイールの移動を制限するブレーキ手段７０を備え、前記ブレーキ手段７０は、押圧作動によってヒンジ軸７１を中心として上下回動する作動レバー７２と、前記作動レバーの下端に後端が軸連結されて作動レバーの押圧作動によって前進移動する作動ピン７３と、前記作動ピンが前進移動によって挿入されて移動ホイールの転がりを制限するように移動ホイールの側面に設けられる回転制限溝５８とから構成される。
【００４８】
前記作動ピン７３は、単純ピン構造で形成することができるが、好ましくは、図示のようにシリンダ構造で形成してガイドによって前進または後退移動案内されるように構成することが好ましい。
【００４９】
未説明符号８１、８２は、バッグ本体の前方と後方に設けられるハンドルを示す。
以下、このように構成される本発明の作動および作用について考察する。
【００５０】
本発明のゴルフバッグ１００は、バッグ本体１０の内部空間部１１にゴルフクラブを収納し、ヘッドカバー２０を結合してカート２００に結合するか、或いはカートへの結合なしに移動ホイール１２によって移動しながら使用することができる。
【００５１】
この時、前記ヘッドカバー２０は、ヘッドカバーの下部外側に突設されるＴ型断面構造の結合突起２５を、バッグ本体１０の上部外側に設けられた結合溝１５に挿入して結合するが、前記結合突起２５を結合溝の挿入部１５ａに挿入した後、ヘッドカバーを回転させて結合突起２５が挿入部の一側の係止部１５ｂに位置するようにして離脱防止されるように結合する。 
【００５２】
このようなゴルフバッグ１００のバッグ本体１０とヘッドカバー２０は、ポリカーボネート、ＡＢＳ素材などで形成してハードシェル構造を持つため、別途の包装カバーなしでも航空手荷物としての移動時に内部のゴルフクラブなどを安全に保護することができる。
【００５３】
このような本発明のゴルフバッグ１００をカート２００に結合して使用しようとするときには、カートの支持体５１の前面に形成されたＴ型構造のドッキングブロック５６をバッグ本体の背面のドッキング溝６０における上側の挿入溝部６１に挿入する。
【００５４】
前記カートのドッキングブロック５６を挿入溝部６１における下側の係止溝部６２にスライド移動させて前記ドッキングブロック５６の両側の係止突起５６ａに係止溝部６２の両側の係止段６２ａが係止されて離脱防止されるように簡単にドッキング結合する。よって、従来のような別途の結び過程なしにもゴルフバッグをワンタッチで簡単且つ堅固に結合して使用するのである。
【００５５】
このように前記カート２００にゴルフバッグ１００をドッキング結合した後、カートの移動ホイール５５、５５とゴルフバッグの移動ホイール１２によって移動しながら使用するが、前記ゴルフバッグの移動ホイール１２は、移動ホイール間の幅を調節してより安定的に移動するように使用することができる。
【００５６】
これは、前記バッグ本体１０の下部両側に外部へ突出している押圧ピン３３を押圧すると、前記押圧ピンが移動ホイールのホイールシャフト３１の凹溝３１ａに挿入されてホイールシャフトの出没移動を制限するように支持している状態で押圧ピンの凹溝部３３ａがホイールシャフト３１に位置してホイールシャフトの出没移動が可能な状態となる。
【００５７】
この状態で前記移動ホイールのホイールシャフト３１を出没調節して、ホイールシャフトの長さ方向に沿って設けられた他の凹溝３１ａが押圧ピンに位置するようにした後、押圧ピンの押圧作動を除去すると、前記押圧ピンが元の位置に弾発復帰しながら、凹溝部３３ａではなく、円形断面の部位がホイールシャフトの凹溝３１ａに挿入されて移動ホイールのホイールシャフト３１を固定する。
【００５８】
このような過程によって、前記ゴルフバッグの左右の移動ホイール１２を出没調節して移動ホイール間の幅を調節するように使用する。
【００５９】
このような本発明のゴルフバッグ１００は、カートに結合して簡便に移動しながら使用するが、前記バッグ本体１０からヘッドカバー２０を取り外した後、ゴルフクラブなどを取り出して使用する。
【００６０】
このとき、取り外されたヘッドカバー２０は、下部一側に設けられたフック２６を用いてバッグ本体の前方のフック凹部１６に挿入することにより掛けて保管する。
【００６１】
前記ヘッドカバー２０は、覆された状態でバッグ本体に掛けて保管するため、ヘッドカバーの内部にクラブヘッドのカバー、その他のアクセサリーなどの各種物品を収納保管して使用することもできる。
【００６２】
また、前記バッグ本体１０の両側方には、サイドポケット３５を結合して各種物品を収納することができるが、これは、前記サイドポケットに設けられた磁石３６の磁力によってバッグ本体の側壁の内部に設置した金属板１８の位置に付着させて設置使用する。
【００６３】
前記サイドポケット３５は、布素材で形成して、使用しないときには折り畳んで他の収納空間に簡単に収納保管することができる。
【００６４】
その他に、前記バッグ本体１０の上部には、図１０に示すように、ヘッドカバー２０の代わりに別途の布カバー２０’を着脱可能に結合して使用することができるが、前記布カバー２０’の中央には防水ファスナー２１を形成しており、布カバーを取り外すことなく、防水ファスナーの開放によって内部のゴルフクラブを簡単に取り出して使用することができる。
【００６５】
このような本発明のゴルフバッグ１００は、カート２００に結合した状態で移動しながら使用するときに停止位置でブレーキ手段７０によって移動ホイールの移動を制限するようにすることができるが、これは、カートの移動ホイールの一側に設けられたブレーキ手段の作動レバー７２を押圧すると、前記作動レバーが軸回転しながら、作動レバーの下端に軸連結されている作動ピン７３を加圧して前進移動させ、前記作動ピン７３が移動ホイールの側面の回転制限溝５８に挿入されながら移動ホイールの移動を制限する。
【００６６】
これとは反対に、前記移動ホイールの移動制限を解除しようとする場合には、ブレーキ手段の作動レバー７２を再び加圧すると、前記作動レバー７２が元の位置に軸回転しながら、前進している作動ピン７３が後退復帰するので、移動ホイールの移動が可能となる。
【００６７】
一方、前記ゴルフバッグ１００からカート２００を分離しようとする場合には、ドッキング作動の逆順でカートのドッキングブロックをドッキング溝から上部にスライド移動させてカートのドッキングブロック５６が係止溝部６２における上側の挿入溝部６１に位置するようにした後、カートを前方に取り出して簡単に分離する。
【符号の説明】
【００６８】
１０    バッグ本体
１１    内部空間部
１２    移動ホイール
１５    結合溝
１６    フック凹部
１５ａ  挿入部
１５ｂ  係止部
１８    金属板
２０    ヘッドカバー
２０’  布カバー
２６    フック
２１    防水ファスナー
２５    結合突起
３１    ホイールシャフト
３１ａ  凹溝
３３    押圧ピン
３３ａ  凹溝部
３５    サイドポケット
３６    磁石
５１    支持体
５２    ハンドル
５４    リンク部材
５５    移動ホイール
５６    ドッキングブロック
５６ａ  係止突起
６０    ドッキング溝
６１    挿入溝部
６２    係止溝部
６２ａ  係止段
７０    ブレーキ手段
７２    作動レバー
７３    作動ピン
１００  ゴルフバッグ
２００  カート
【図１】
2020121099.tif 000003
【図２】
2020121099.tif 000004
【図３】
2020121099.tif 000005
【図４】
2020121099.tif 000006
【図５】
2020121099.tif 000007
【図６】
2020121099.tif 000008
【図７】
2020121099.tif 000009
【図８】
2020121099.tif 000010
【図９】
2020121099.tif 000011
【図１０】
2020121099.tif 000012
【図１１】
2020121099.tif 000013
【図１２】
2020121099.tif 000014